(57)【要約】【課題】  表面に油剤が付着した主体金具にプロテクタを圧入固定し、その後溶接部を形成した場合にも、ブローホール等の溶接欠陥が生じないガスセンサの製造方法を提供する。【解決手段】  予めプロテクタ１５１との間で重なり部３０１を形成することが予定される部位に、大径部３０３およびこの大径部３０３よりも小さい外径の小径部３０５を有する主体金具１２１を準備する。そして、主体金具１２１の表面に油剤を付着させ、プロテクタ１５１（外側カバー部１７３）の後端部１８０を主体金具１２１の大径部３０３に嵌合する。このとき、主体金具１２１の小径部３０５とプロテクタ１５１との間に環状空間Ｓが形成されるまで、プロテクタ１５１の嵌合を行う。ついで、小径部３０５の径方向外側に位置するプロテクタ１５１の外周面から環状空間Ｓを貫く溶接部Ｗを形成する。これにより、環状空間Ｓを通じてガス抜きがなされ、安定した溶接部Ｗが形成される。【選択図】  図２
2005292119.tif 000002
【特許請求の範囲】
【請求項１】
軸線方向に延び、先端側が被測定ガスに晒されるガス検出素子と、
前記ガス検出素子を自身の先端側から突出した状態で、該ガス検出素子の径方向外側を取り囲む筒状の主体金具と、
前記主体金具の先端部の外周に装着されると共に、前記ガス検出素子の先端側を覆う筒状のプロテクタと、
を備えるガスセンサの製造方法であって、
前記先端部の外周に油剤を付着させた前記主体金具を準備する金具準備工程と、
前記油剤が付着された前記主体金具と前記プロテクタとの少なくともいずれかを互いに近づく方向に移動させて、前記主体金具の前記先端部と前記プロテクタとが嵌合する嵌合部と、前記主体金具の先端部と前記プロテクタとが環状空間を介して重なる空間形成部とが軸線方向に沿って生ずるように、該主体金具と該プロテクタとを組み付ける組み付け工程と、
前記プロテクタの外周から、前記環状空間を貫く溶接部を形成し、該主体金具と該プロテクタとを溶接する溶接工程と、を含む
ことを特徴とするガスセンサの製造方法。
【請求項２】
請求項１に記載のガスセンサの製造方法であって、
前記主体金具のうちで前記空間形成部を形成する部位の外径をＡ、前記プロテクタのうちで前記空間形成部を形成する部位の内径をＢとしたときに表される前記環状空間の大きさＢ−Ａが、０．０６ｍｍ以上であるガスセンサの製造方法。
【請求項３】
請求項１又は２に記載のガスセンサの製造方法であって、
前記主体金具の前記先端部は、大径部およびこの大径部よりも小さい外径を有する小径部とを含み、
前記嵌合部は、前記大径部と前記プロテクタとが嵌合することで形成される一方、前記空間形成部は、前記小径部と前記プロテクタとが前記環状空間を介して重なることで形成されるガスセンサの製造方法。
【請求項４】
請求項１又は２に記載のガスセンサの製造方法であって、
前記プロテクタのうちで前記主体金具の前記先端部の外周に装着される部位は、小径部およびこの小径部よりも内径が大きい大径部とを含み、
前記嵌合部は、前記小径部と前記主体金具の前記先端部とが嵌合することで形成される一方、前記空間形成部は、前記大径部と前記主体金具の前記先端部とが前記環状空間を介して重なることで形成されるガスセンサの製造方法。
【請求項５】
請求項１〜請求項４のいずれか１項に記載のガスセンサの製造方法であって、
前記嵌合部の軸線方向の長さが、０．８ｍｍ以上であるガスセンサの製造方法。
【請求項６】
請求項１〜請求項５のいずれか１項に記載のガスセンサの製造方法であって、
前記嵌合部は、前記主体金具の前記先端部に前記プロテクタを圧入することで形成されるガスセンサの製造方法。
【請求項７】
請求項１〜請求項６のいずれか１項に記載のガスセンサの製造方法であって、
前記溶接部は、レーザー溶接により形成されるガスセンサの製造方法。
【請求項８】
請求項３に記載のガスセンサの製造方法であって、
前記主体金具の前記大径部の表面には、径方向内側に窪んだ凹部であって、該大径部の先端縁から後端縁まで連続した前記凹部が少なくとも１つ以上設けられているガスセンサの製造方法。
【請求項９】
軸線方向に延び、先端側が被測定ガスに晒されるガス検出素子と、
前記ガス検出素子を自身の先端側から突出した状態で、該ガス検出素子の周囲を取り囲む筒状の主体金具と、
前記主体金具の先端部の外周に装着されると共に、前記ガス検出素子の先端側を覆う筒状のプロテクタと、
を備えるガスセンサであって、
前記主体金具の前記先端部と前記プロテクタとが嵌合する嵌合部と、前記主体金具の前記先端部と前記プロテクタとが環状空間を介して重なる空間形成部とを有し、
前記プロテクタは、前記環状空間を貫くようにして形成される溶接部により、前記主体金具に溶接されている
ことを特徴とするガスセンサ。
【請求項１０】
請求項６に記載のガスセンサであって、
前記プロテクタと前記主体金具とは、周方向にわたって形成される前記溶接部により溶接されているガスセンサ。
【請求項１１】
請求項９又は１０に記載のガスセンサであって、
前記主体金具の前記先端部は、大径部と、この大径部よりも小さい外径を有する小径部とを含み、
前記大径部と前記プロテクタとが嵌合して前記嵌合部をなし、前記小径部と前記プロテクタとが前記環状空間を介して重なって前記空間形成部をなすガスセンサ。
【請求項１２】
請求項９又は１０に記載のガスセンサであって、
前記プロテクタのうちで前記主体金具の前記先端部の外周に装着される部位は、小径部と、この小径部よりも内径が大きい大径部とを含み、
前記小径部と前記主体金具の前記先端部とが嵌合して前記嵌合部をなし、前記大径部と前記主体金具の前記先端部とが前記環状空間を介して重なって前記空間形成部をなすガスセンサ。
【発明の詳細な説明】
【技術分野】
【０００１】
本発明は、ガスセンサに関し、特に、有底筒状または板状をなすガス検出素子のうちで被測定ガスに晒される部位を覆うプロテクタを備えるガスセンサに関する。
【背景技術】
【０００２】
従来より、自動車の空燃比制御を行うにあたって、排気ガス中の特定ガス成分の濃度に応じて電気的特性が変化するガス検出素子を備えたガスセンサが用いられている。このようなガスセンサとしては、酸素センサ、ＮＯｘセンサ、ＨＣセンサなどの各種センサが知られている。ところで、このようなガスセンサは、ガス検出素子の先端部を突出させる形で、主体金具の内側に同ガス検出素子を保持させた構造を有しており、ガス検出素子の先端部を排気ガス等の被測定ガスに晒すことで、被測定ガス中の特定ガス成分（例えば、酸素）を検出する。
【０００３】
そして、多くのガスセンサにおいては、ガス検出素子のうちで被測定ガスに晒される先端部を被水等から保護するために、該先端部を覆う金属製のプロテクタが主体金具に装着されている。このプロテクタには複数のガス流通孔が形成されており、被測定ガスは、このガス流通孔からプロテクタ内に導かれてガス検出素子の先端部と接触することになる。そして、近年では、ガス検出素子の先端部の保護性能を高めるため、プロテクタを内側カバー部と外側カバー部の２つの部材からなる二重構造としたものも多く用いられている。例えば、特許文献１〜特許文献３に、このようなプロテクタを有するガスセンサが開示されている。
【特許文献１】特開平９−３０４３３２号公報
【特許文献２】特開２０００−２８５７１号公報
【特許文献３】特開２００１−９９８０７号公報
【発明の開示】
【発明が解決しようとする課題】
【０００４】
ところで、このプロテクタと主体金具との固定は種々の手法にて実施されているが、両者の固定を確実に行うべく、主体金具の先端部の径方向外側に筒状のプロテクタを嵌合し、その嵌合部に対して溶接部（例えば、レーザー溶接部）を形成する方法が採用されることも多い。そして、上記したように、主体金具の先端部外方にプロテクタを嵌合する場合には、プロテクタの内周面と主体金具の先端部外周面との間で生じる摩擦を軽減して嵌合を円滑に行うために、主体金具の表面に油剤を付着させ、この油剤の潤滑作用を利用してプロテクタを嵌合するようにしている。なお、主体金具の表面に油剤を形成するにあたっては、量産性を考慮して、主体金具の全表面に油剤を付着する処理が行われることが通常である。また、プロテクタを主体金具の先端部に嵌合するにあたっては、その固定を確実にするために圧入を行うことが通常である。
【０００５】
しかしながら、主体金具の表面に油剤を付着してプロテクタを嵌合した後、その嵌合部に対して溶接（重ね溶接）を行うと、溶接入熱により気化した油剤成分のガスの逃げ場がないために、ブローホール等の溶接欠陥が生じることがあった。そこで、主体金具の表面に油剤を付着させた後、溶接部の形成が予定される部位の表面に付着した油剤だけを選択的に除去することも考えられるが、このような選択的な除去処理には多くの工程管理が必要となるために製造効率が低下し、その上コスト負担も増大するという問題があった。
【０００６】
本発明は、こうした問題に鑑みてなされたものであり、表面に油剤を付着させた主体金具に対して筒状のプロテクタを嵌合し、その後溶接部を形成した場合にも、ブローホール等の溶接欠陥がなく、さらに油剤を選択的に除去する等の特別な処理を不要して製造効率の向上に寄与するガスセンサの製造方法を提供することを目的とする。
さらには、安定した溶接部が形成され、プロテクタと主体金具とが強固に固定された高品質な特性を有するガスセンサを提供することを目的とする。
【課題を解決するための手段】
【０００７】
そしてその解決手段は、軸線方向に延び、先端側が被測定ガスに晒されるガス検出素子と、
前記ガス検出素子を自身の先端側から突出した状態で、該ガス検出素子の径方向外側を取り囲む筒状の主体金具と、
前記主体金具の先端部の外周に装着されると共に、前記ガス検出素子の先端側を覆う筒状のプロテクタと、
を備えるガスセンサの製造方法であって、
前記先端部の外周に油剤を付着させた前記主体金具を準備する金具準備工程と、
前記油剤が付着された前記主体金具と前記プロテクタとの少なくともいずれかを互いに近づく方向に移動させて、前記主体金具の前記先端部と前記プロテクタとが嵌合する嵌合部と、前記主体金具の先端部と前記プロテクタとが環状空間を介して重なる空間形成部とが軸線方向に沿って生ずるように、該主体金具と該プロテクタとを組み付ける組み付け工程と、
前記プロテクタの外周から、前記環状空間を貫く溶接部を形成し、該主体金具と該プロテクタとを溶接する溶接工程と、を含むことを特徴とするガスセンサの製造方法である。
【０００８】
本発明のガスセンサの製造方法では、主体金具の先端部外周に油剤を付着させた状態で、プロテクタを主体金具の先端部の特定部位に嵌合して両者を組み付ける組み付け工程、主体金具とプロテクタとを溶接する溶接工程を順に行う。
【０００９】
ここで、本発明のガスセンサの製造方法における組み付け工程では、主体金具の先端部とプロテクタとが嵌合する嵌合部と、主体金具の先端部とプロテクタとが環状空間を介して重なる空間形成部とを軸線方向に沿って生じさせている。そして、組み付け工程に続く溶接工程では、プロテクタの外周から、環状空間を貫く溶接部を形成するようにしている。
【００１０】
このように主体金具とプロテクタとの間に環状空間を意図的に形成し、この環状空間を貫く溶接部を形成することで、溶接工程時に主体金具の先端部に油剤が付着していたとしても、気化した油剤成分のガスを、この環状空間を通じてプロテクタの後端側あるいは先端側から外部に逃がすことができる。これにより、本発明のガスセンサの製造方法によれば、主体金具の全表面に油剤を付着させた場合にも、溶接部の形成が予定される部位の油剤を選択的に除去する等の特別な処理を行うことなく、良好な溶接部形成が得られるようになり、ひいてはガスセンサの製造効率および歩留まり向上が達成される。また、本発明のガスセンサの製造方法によれば、プロテクタと主体金具との固定を行うにあたって、嵌合による位置決めと溶接の両立を安定して図ることができ、高品質な特性を有するガスセンサを製造することができる。
【００１１】
なお、上記金具準備工程は、少なくとも先端部の外周に油剤を付着させた主体金具を準備するものであり、所定の形状に形成された主体金具の表面に対して所定量（狙い量）油剤が付着されるものであれば良く、その付着手法は特に限定されない。例えば、ガスセンサ向けの主体金具は、機械加工（塑性加工や切削加工、研削加工等）を通じて所定の形状に成形されるものであるが、その加工時に潤滑や冷却のために使用した油剤（潤滑油剤や切削油剤、研削油剤等）が残留油剤として付着していることがある。そこで、この残留油剤が付着した主体金具の表面に対して、所定量の油剤が最終的に付着されるように、残留油剤を減少させたり新たな油剤を付加したりすれば良い。また、これとは別に、残留油剤が付着した主体金具を脱脂、洗浄して全ての残留油剤を除去した後、所定量の油剤を主体金具の表面に付着させるようにしても良い。
【００１２】
上記溶接工程における溶接部は、レーザー溶接やプラズマ溶接、電子ビーム溶接といった高密度エネルギービームを用いた溶接にて形成することが好ましく、その中でもレーザー溶接を用いることが、製造効率や製造コストを考慮した場合に、最も好ましい。また、この溶接部は、周方向にわたって連続的に形成される全周溶接部であっても良いし、周方向に対して断続的に形成されるスポット溶接部であっても良いが、プロテクタ−主体金具間の強固な溶接強度を得るには全周溶接部であることが好ましい。
【００１３】
さらに、本発明において、ガス検出素子の先端側を覆うように主体金具に装着されるプロテクタは、一重構造に限定されず、二つ以上の筒状部材を用いて形成する複数構造をなしていても良い。例えば、プロテクタを、外側カバー部と、この外側カバー部よりも内側に配置される内側カバー部との二重構造をなすものとし、互いのカバー部の後端部を重ね合わせた状態で主体金具の先端側外周に装着し、主体金具の先端部と互いのカバーの三者を一体に溶接した構成を採用しても良い。あるいは、上記と同様にプロテクタを、外側カバー部と内側カバー部の二重構造をなすものとし、外側カバー部と内側カバー部とをいずれかの部位で予め固着させた状態で、いずれかのカバーのみを主体金具の先端部外周に装着し、主体金具の先端部といずれかのカバーを一体に溶接した構成を採用しても良い。
【００１４】
また、上記ガスセンサの製造方法であって、前記主体金具のうちで前記空間形成部を形成する部位の外径をＡ、前記プロテクタのうちで前記空間形成部を形成する部位の内径をＢとしたときに表される前記環状空間の大きさＢ−Ａが、０．０６ｍｍ以上であるガスセンサの製造方法とすると良い。
【００１５】
空間形成部を構成する主体金具とプロテクタとの間に形成される環状空間の大きさ（上記Ｂ−Ａにて表される大きさ）を０．０６ｍｍ以上とすることで、良好なガス抜き効果を得ることができ、安定した溶接部を形成することができるる。上記環状空間の大きさが、０．０６ｍｍ未満であると、ガス抜き効果を十分に得ることができないおそれがある。なお、この環状空間の大きさ（上記Ｂ−Ａにて表される大きさ）の上限は、主体金具やプロテクタの材質、プロテクタの肉厚等を考慮して、溶接時に溶融金属の溶け落ちが生じない大きさに適宜設定すれば良く、例えば０．２ｍｍ以下に設定すれば良い。
【００１６】
さらに、上記いずれかに記載のガスセンサの製造方法であって、前記主体金具の前記先端部は、大径部およびこの大径部よりも小さい外径を有する小径部を含み、前記嵌合部は、前記大径部と前記プロテクタとが嵌合することで形成される一方、前記空間形成部は、前記小径部と前記プロテクタとが前記環状空間を介して重なることで形成されるガスセンサの製造方法とすると良い。
【００１７】
本発明では、予め、プロテクタの装着が予定される先端部に、大径部およびこの大径部よりも小さい外径を有する小径部を有する主体金具を用意しておく。そして、組み付け工程において、主体金具の小径部外周面とプロテクタ内周面との間に環状空間が形成されるように、主体金具の大径部に対してプロテクタを嵌合することにより、上記嵌合部および空間形成部を容易に生じさせることができる。
【００１８】
また、いずれかに記載のガスセンサの製造方法であって、上記前記プロテクタのうちで前記主体金具の前記先端部の外周に装着される部位は、小径部およびこの小径部よりも内径が大きい大径部とを含み、前記嵌合部は、前記小径部と前記主体金具の前記先端部とが嵌合することで形成される一方、前記空間形成部は、前記大径部と前記主体金具の前記先端部とが前記環状空間を介して重なることで形成されるガスセンサの製造方法とすると良い。
【００１９】
本発明では、予め、主体金具の先端部への装着が予定される部位に、小径部およびこの小径部よりも大きい内径を有する大径部を有するプロテクタを用意しておく。そして、組み付け工程において、プロテクタの大径部内周面と主体金具の先端部外周面との間に環状空間が形成されるように、主体金具の先端部に対してプロテクタの小径部を嵌合することにより、上記嵌合部および空間形成部を容易に生じさせることができる。
【００２０】
さらに、上記いずれかに記載のガスセンサの製造方法であって、前記嵌合部の軸線方向の長さが、０．８ｍｍ以上であるガスセンサの製造方法とすると良い。
【００２１】
プロテクタと主体金具の先端部とが嵌合される嵌合部の軸線方向の長さを０．８ｍｍ以上に設定することで、組み付け工程において、主体金具の先端部に対するプロテクタの嵌合による位置決め固定を良好に得ることができ、溶接工程への搬送時等にプロテクタが主体金具からずれたり、脱落したりすることを防止することができる。なお、この嵌合部の軸線方向の長さの上限値は特に制限はない。
【００２２】
さらに、上記いずれかに記載のガスセンサの製造方法であって、前記嵌合部は、前記主体金具の前記先端部に前記プロテクタを圧入することで形成されるガスセンサの製造方法とすると良い。上記嵌合部を、主体金具の先端部とプロテクタとの圧入によって形成することで、組み付け工程において、主体金具とプロテクタとの固着強度を良好に得ることができる。
【００２３】
さらに、上記のガスセンサの製造方法であって、前記主体金具の前記大径部の表面には、径方向内側に窪んだ凹部であって、該大径部の先端縁から後端縁まで連続した前記凹部が少なくとも１つ以上設けられているガスセンサの製造方法とすると良い。
【００２４】
主体金具の大径部に上記した凹部が１つ以上形成された主体金具を用いることで、主体金具の小径部とプロテクタとの間に形成される環状空間を貫く溶接部を形成する際に、気化した油剤成分のガスをこの環状空間を通じて外部に逃がすと共に、上記凹部内を経由して外部に逃がすことができる。これにより、溶接工程時により確実なガス抜き効果がもたらされ、ブローホール等の溶接欠陥の発生をより確実に抑えることができる。なお、この凹部は、主体金具成形時に付与させても良いし、成形後の主体金具にローレット加工等を施して付与させても良い。
【００２５】
また、他の解決手段である本発明のガスセンサは、軸線方向に延び、先端側が被測定ガスに晒されるガス検出素子と、前記ガス検出素子を自身の先端側から突出した状態で、該ガス検出素子の周囲を取り囲む筒状の主体金具と、前記主体金具の先端部の外周に装着されると共に、前記ガス検出素子の先端側を覆う筒状のプロテクタと、を備えるガスセンサであって、前記主体金具の前記先端部と前記プロテクタとが嵌合する嵌合部と、前記主体金具の前記先端部と前記プロテクタとが環状空間を介して重なる空間形成部とを有し、前記プロテクタは、前記環状空間を貫くようにして形成される溶接部により、前記主体金具に溶接されていることを特徴とするガスセンサである。
【００２６】
本発明のガスセンサでは、主体金具の先端部と筒状のプロテクタとの装着部位をみたときに、両者が嵌合する嵌合部と、環状空間を介して重なる空間形成部を有している。そして、プロテクタは、主体金具の先端部との間に介在する環状空間を貫くようにして形成される溶接部により、主体金具に溶接されている点が注目すべき点である。これにより、本発明のガスセンサは、例えば上記の優れた製造方法により効率良く製造することができ、安定した溶接部が形成され、プロテクタと主体金具とが強固に固定された高品質な特性を得ることができる。なお、この溶接部は、主体金具の先端部外周面とプロテクタ内周面との間の防水性を確保する観点から、周方向にわたって形成されていることが好ましい。
【発明を実施するための最良の形態】
【００２７】
以下、本発明の実施の形態を、図面を参照しつつ説明する。
（第１実施形態）
本実施形態に係るガスセンサ１０１の断面図を図１に、要部の断面図を図２に示す。また、プロテクタ１５１の内部構造を示す説明図を図３に示す。なお、図１〜図３においては、下方が先端側、上方が後端側となる。このガスセンサ１０１は、内燃機関の排ガス管に取り付けて、被測定ガスである排気ガス中の酸素濃度を検出する酸素センサである。ガスセンサ１０１は、図１および図２に示すように、軸線Ｃ方向に延びるガス検出素子１０３と、このガス検出素子１０３の周囲を取り囲む筒状の主体金具１２１と、ガス検出素子１０３のうちで排気ガスに晒される先端部１０５を覆うプロテクタ１５１とを備える。
【００２８】
このうち、ガス検出素子１０３は、先端１０５Ｓが閉塞した有底筒状をなし、イットリアを安定化剤として固溶させた部分安定化ジルコニアを主体に形成されている。このガス検出素子１０３の内周面には、そのほぼ全面を覆うようにＰｔあるいはＰｔ合金により多孔質状に形成された内部電極層１０８が形成され、外周面には同様な多孔質状の外部電極層１０６が設けられている。また、このガス検出素子１０３の軸線方向の略中間位置には、径方向外側に向かって突出する係合フランジ部１１１が設けられている。この係合フランジ部１１１は、後述するように、このガス検出素子１０３を主体金具１２１に保持するために利用される。また、このガス検出素子１０３の内側には、棒状に形成されると共に、内部に発熱抵抗体を有するセラミックヒータ１０９が挿設されている。
【００２９】
主体金具１２１は、ＳＵＳ４３０からなる筒状をなしており、プロテクタ１５１内に挿入される先端部１２３を有する。また、主体金具１２１の内周には、先端部１２３より後端側の位置に、ガス検出素子１０３を軸線Ｃ方向に保持するための棚部（支持面）１２５が設けられている。さらに、棚部１２５よりも後端側にも段付部１２７が形成されている。一方、主体金具１２１の外周には、先端部１２３よりも後端側の位置に、このガスセンサ１０１を排ガス管に取り付けるための取付ネジ部１２９が設けられている。また、この取付ネジ部１２９の後端側には、このガスセンサ１０１を排ガス管に取り付ける際に利用される六角フランジ部１３１（工具係合部）が設けられている。
【００３０】
主体金具１２１の先端部１２３は、上記したようにプロテクタ１５１内に挿入される部位であって、この先端部１２３は、プロテクタ１５１（詳細には、後述する外側カバー部１７３）との間で重なり部３０１を生ずる部位にあたる。ここで、主体金具１２１のうちプロテクタ１５１との間で重なり部３０１を生ずる（重なり部３０１を生ずることが予定される）先端部１２３は、大径部３０３（外径１２．１５ｍｍ）と、この大径部３０３よりも後端側であって取付ネジ部１２９よりも先端側の位置に、大径部３０３よりも小径の小径部３０５（外径１２．０３ｍｍ）を有しており、二段構造となっている。
【００３１】
この主体金具１２１は、ガス検出素子１０３の先端部１０５が自身の先端面から突出した状態で、ガス検出素子１０３を同軸状に保持している。具体的には、図１に示すように、主体金具１２１の棚部１２５上には、第１板パッキン１３３が配置されている。さらに、その上には、内周に段付部１３６を有する筒状の第１固定部材１３５（アルミナ製）が配置されている。ガス検出素子１０３は、この第１固定部材１３５に挿通され、ガス検出素子１０３の係合フランジ部１１１が、第２板パッキン１３７を介して、第１固定部材１３５の段付部１３６に係合している。第１固定部材１３５の後端側には、ガス検出素子１０３の外周面と主体金具１２１の内周面とによって形成される間隙に、滑石が圧縮充填された充填封止層１３９が配置されている。
【００３２】
さらに、この充填封止層１３９の後端側には、内側をガス検出素子１０３が貫通する筒状の第２固定部材１４１（アルミナ製）が配置されている。第２固定部材１４１の後端側には加締めリング１４５が配置され、主体金具１２１の後端部１３２が径方向内側に加締められることで、ガス検出素子１０３は、主体金具１２１内に気密状態で保持されている。
【００３３】
プロテクタ１５１は、ガス検出素子１０３の先端部１０５を間隙を介して覆う筒状の内側カバー部１５３と、この内側カバー部１５３の外周に配置された筒状の外側カバー部１７３とを有する二重構造をなす。
【００３４】
このうち、外側カバー部１７３は、肉厚０．５ｍｍのＳＵＳ３１０Ｓからなり、外径１３．１５ｍｍの外側筒状部１７５と、この先端側に位置する外側底部１７７とからなる。外側筒状部１７５には、排気ガスを外部から外側カバー部１７５の内側に導入可能な外側ガス流通孔１７６が６ヵ所に設けられている。外側ガス流通孔１７６は、それぞれ長円形状をなし、各々の外側ガス流通孔１７６は、軸線Ｃ方向に見て中央よりも先端側の位置に、周方向に等間隔で形成されている。また、外側底部１７７には、その中央に、プロテクタ１５１よりも先端方向外部に繋がる円形状の外側先端流通孔１７９が設けられている。
【００３５】
内側カバー部１５３は、肉厚０．３ｍｍのＳＵＳ３１０Ｓからなり、外径８．５０ｍｍの内側筒状部１５５と、この先端側に位置する内側底部１７５とからなる。内側筒状部１５５は、上記外側筒状部１７５と異なり、ガス流通孔を有していない。一方、内側底部１５７には、その中央に、プロテクタ１５１よりも先端方向外部に繋がる円形状の内側先端流通孔１５９が設けられている。
【００３６】
また、プロテクタ１５１は、図２および図３に示すように、内側カバー部１５３の内側筒状部１５５と外側カバー部１７３の外側筒状部１７５との間のカバー部間空間１７１のうち、外側ガス流通孔１７６よりも後端側において、カバー部間空間１７１を周方向に間欠的に遮る遮り部１８１を有する。本実施形態の遮り部１８１は、内側筒状部１５５の後端から６ヵ所で径方向外側に突出する鍔部１８３からなる。なお、外側ガス流通孔１７６の開口面積に対する遮り部１８１（鍔部１８３）の面積（遮り部１８１を軸線方向に投影したときの投影面積）は、約３０％とされている。この鍔部１８３には、この径方向外側端からそれぞれ軸線Ｃ方向後端側に突出する６本の脚部１８５が設けられている。
【００３７】
内側カバー部１５３と外側カバー部１７３は、内側底部１５７と外側底部１７７が、内側先端通気孔１５９の周囲部１５７Ｗと外側先端流通孔１７９の周囲部１７７Ｗにおいて、４ヵ所で部分的にスポット溶接されることにより、約０．１ｍｍの隙間を介して互いに固着されている。これにより、内側先端流通孔１５９と外側先端流通孔１７９とが連通している。
【００３８】
このようなプロテクタ１５１は、図２に示すように、外側カバー部１７３の後端部１８０（外側筒状部１７５の後端部）が、主体金具１２１の先端部１２３の大径部３０３に圧入固定されると共に、同先端部１２３の小径部３０５に環状空隙Ｓを介在させた状態でレーザー溶接されている。
【００３９】
このプロテクタ１５１と主体金具１２１との固定構造は、本発明の主要部にあたるため、より詳細に説明することにする。
主体金具１２１のうちで、プロテクタ１５１の外側カバー部１７３の後端部１８０との間で重なり部３０１を生ずる先端部１２３は、上記した大径部３０３と小径部３０５を有しており、外側カバー部１７３は、大径部３０３に嵌合（本実施形態では、圧入）されている。また、この外側カバー部１７３は自身の内周面と小径部３０３の外周面との間に環状空間Ｓが形成されており、この環状空間Ｓを貫くようにしてレーザー溶接に形成された溶接部Ｗが外側カバー部１７３の周方向にわたって形成されている。つまり、プロテクタ１５１（外側カバー部１７３）と主体金具１２１とは、圧入固定とレーザー溶接によって固定されている。また、遮り部１８１と繋がった脚部１８５が主体金具１２１の先端部１２３の先端面１２３Ｓと当接している。なお、本実施形態のガスセンサ１０１では、大径部３０３と外側カバー部１７３とが嵌合する部位が、嵌合部５０１をなしており、小径部３０３と外側カバー部１７３とが環状空間Ｓを介して重なる部位が、空間形成部５０３をなしている。
【００４０】
本実施形態のガスセンサ１０１においては、主体金具１２１の小径部３０５の外径（最大外径）をＡ、この小径部３０５の径方向外側に位置するプロテクタ１５１（外側カバー部１７３）の内径（最小内径）をＢとしたときに表される環状空間Ｓの大きさＢ−Ａは、０．１２ｍｍ（＝１２．１５ｍｍ−１２．０３ｍｍ）である。また、外側カバー部１７３と主体金具１２１の大径部３０３との嵌合（圧入）による位置決めが良好に行われるように、嵌合部５０１の軸線Ｃ方向の長さ、即ち大径部３０３の先端縁から後端縁までの軸線Ｃ方向の長さＤ（図４参照）が１ｍｍとなっている。
【００４１】
これらにより、主体金具１２１の先端部１２３と、外側筒状部１７５と、内側筒状部１５５とは、外側ガス流通孔１７６から導入された被測定ガス（排気ガス）を、内側カバー部１５３とガス検出素子１０３の先端部１０５との間の空隙に導く内側ガス導入路１９１を構成している。より具体的には、内側ガス導入路１９１は、外側ガス流通孔１７６から導入された被測定ガスを、外側筒状部１７５と内側筒状部１５５との間を通過させ、後端側に導く。その後、排気ガスを、主体金具１２１の先端部１２３のうち、内周面と外周面との間を結ぶ連結面（先端面）の内周面側端縁１２３ＳＴよりも軸線Ｃ方向に見て先端側で、内側筒状部１５５の後端を越えさせる。そして、被測定ガスを、内側カバー部１５３とガス検出素子１０３の先端部１０５との間の空隙に導き、内側先端流通孔１５９及び外側先端流通孔１７９を介してプロテクタ１５１の外部に排出する。
【００４２】
ついで、図１に戻り、主体金具１２１のうち、六角フランジ部１３１の後端側は、筒状の金属外筒２０１の先端部２０１Ｓが外側から全周レーザー溶接により固定されている。また、金属外筒２０１の後端側開口部２０１Ｋには、フッ素ゴムにて構成されたグロメット２０３が内挿され、金属外筒２０１を径方向内側に向かって加締めることにより、金属外筒２０１に気密状態で固定されている。グロメット２０３の中央部には貫通孔が設けられ、この貫通孔に、大気を金属外筒２０１の内側に導入する一方、水分の侵入を防ぐフィルタ部材２０５が配置されている。また、グロメット２０３の先端側には、絶縁性のアルミナからなるセパレータ２０７が配置されている。そして、グロメット２０３及びセパレータ２０７を貫通してセンサ出力リード線２１１、２１２およびヒータリード線２１３、２１４が配置されている。また、セパレータ２０７内には、第１、第２センサ端子金具２１５、２１６のコネクタ部２１５Ｂ、２１６Ｂ及びヒータ端子金具２１７、２１８が互いに絶縁されつつ配置されると共に、セラミックヒータ１０９の後端側が収容されている。
【００４３】
第１センサ端子金具２１５は、そのコネクタ部２１５Ｂがセンサ出力リード線２１１を加締めにより把持してこれに電気的に接続すると共に、挿入部２１５Ｃがガス検出素子１０３の有底孔内に挿入され、内部電極層１０８と電気的に接続している。また、第２センサ端子金具２１６は、そのコネクタ部２１６Ｂがセンサ出力リード線１２１を加締めにより把持してこれに電気的に接続すると共に、把持部２１６Ｃがガス検出素子１０３の後端付近の外周を把持して、外部電極層１０６と電気的に接続している。また、２本のヒータ端子金具２１７は、ヒータリード線２１３（なお、１本のヒータリード線については、図１が断面図であるため省略されている）とそれぞれ電気的に接続すると共に、セラミックヒータ１０９の一対の電極パッド部１０９Ｂと接合されることによりそれぞれ電気的に接続している。
【００４４】
なお、セパレータ２０７には、径方向外側に向かって突出する鍔部２０７Ｃが形成されている一方、金属外筒２０１には、周方向に沿って等間隔に４ヶの内側凸部２０１Ｃが形成されている。そして、この内側凸部２０１Ｃに鍔部２０７Ｃの後端面を当接させた状態で、付勢部材２１９を用いて鍔部２０７Ｃを後方側に付勢することにより、セパレータ２０７は金属外筒２０１内に保持されている。なお、付勢部材２１９は、筒状をなすと共に自身の弾性力によりセパレータ２０７に保持され、自身の径方向外側に位置する金属外筒２０１が径方向内側に加締められることで変形し、セパレータ２０７の鍔部２０７Ｃを後方側に付勢するように構成されている。
【００４５】
このガスセンサ１０１は、以下のように製造される。
まず、ＳＵＳ４３０の鋼材に対して塑性加工および切削加工を施し、六角フランジ部１３１、取付ネジ部１２９、棚部１３３、先端部１２３等を有する筒状の主体金具１２１を成形する。このとき、プロテクタ１５１（外側カバー部１７３）との間で重なり部３０１を生じることが予定される先端部１２３に、大径部３０３と、この大径部３０３よりも後端側に位置し大径部３０３よりも小さい外径の小径部３０５とが形成されるように、主体金具１２１が成形される。
【００４６】
ついで、この主体金具１２１の表面に所定量の油剤を付着する。以下に、本実施形態における油剤付着方法について説明する。上述した主体金具１２１の成形（塑性加工、切削加工）時には、潤滑や冷却のために油剤が使用されており、成形後の主体金具１２１の表面には残留油剤が付着している。そこで、まずこの残留油剤が付着した主体金具１２１を脱脂液に浸漬し、脱脂液から出して水洗し、主体金具１２１に付着した残留油剤の全部を除去する。そして、この水洗した主体金具１２１を、水に水溶性油剤を溶解した油剤液（例えば、アルキルアミンオキサイドの約３０％水溶液）に浸漬し、油剤液から出して乾燥して自身の表面に新規に油剤を付着させた主体金具１２１を得る。なお、上記油剤液の濃度を適宜調整しておくことにより、主体金具１２１の表面に所定量の油剤を付着させることができる。このようにして、所定形状をなし、先端部１２３を含む表面に油剤が付着された主体金具１２１が準備される。
【００４７】
一方、所定寸法に予め成形されたＳＵＳ３１０Ｓ製の有底筒状をなす外側カバー部１７３と内側カバー部１５３を準備する。そして、内側先端流通孔１５９の周囲部１５７Ｗと外側先端流通孔１７９の周囲部１７７Ｗにおいて、４ヵ所でスポット溶接を行うことにより、内側カバー部１５３と外側カバー部１７３とを同軸状に固着し、プロテクタ１５１を得る。
【００４８】
そして、図４（ａ）に示すように、主体金具１２３の先端側よりプロテクタ１５１を移動させて、取付ネジ部１２９の先端面に外側カバー部１７３の後端が当接するまでプロテクタ１５１を移動させることで、外側カバー部１７３の後端部１８０を、主体金具１２１の先端部１２３外方に装着する。このとき、主体金具１２１の先端部１２３の大径部３０３に対して、外側カバー部１７３は嵌合（本実施形態では圧入）されることになるが、主体金具１２１の表面には油剤が付着されているため、円滑に圧入を行うことができる。また、取付ネジ部１２９の先端面に外側カバー部１７３の後端が当接するまでプロテクタ１５１を移動（圧入）するため、先端部１２３の小径部３０５と外側カバー部１７３との間には、環状空間Ｓが形成されることになる。なお、本実施形態では、この環状空間Ｓの大きさＢ−Ａが、０．１２ｍｍとなるように、主体金具１２１の小径部３０５の外径を上記成形時に調整している。これにより、大径部３０３と外側カバー部１７３とが嵌合する嵌合部５０１と、小径部３０５と外側カバー部１７３とが環状空間Ｓを介して重なる空間形成部５０３とが形成される。
【００４９】
ついで、図４（ｂ）に示すように、主体金具１２１の小径部３０５の径方向外側に位置する外側カバー部１７３の外周面からレーザー光を照射して、環状空間Ｓを貫くようにして溶接部Ｗを全周にわたって形成し、プロテクタ１５１と主体金具１２１とをレーザー溶接する。これにより、プロテクタ１５１と主体金具１２１とは、圧入固定とレーザー溶接により強固に固定される。
【００５０】
ここで、この溶接工程時においては、主体金具１２１の小径部３０５の表面には油剤が付着しているため、レーザー溶接による入熱により油剤成分が気化することになる。しかし、本実施形態においては、環状空間Ｓを介在させて上記レーザー溶接を実行していることから、油剤成分が気化したガスは、外側カバー部１７３の後端側から外部に逃げることになる。そのため、溶接部Ｗにおいては、このガス発生に起因したブローホール等の溶接欠陥が生じることが抑制され、安定した溶接部Ｗ形成がもたらされる。なお、本実施形態においては、主体金具１２１の取付ネジ部１２９の先端面に外側カバー部１７３の後端を当接させるものであるが、この当接部分には、少なからず微小な隙間（約０．０３ｍｍ）が存在することになるため、外側カバー部１７３の後端側からガス抜きを行うことは可能となる。
【００５１】
そして、このプロテクタ１５１を固定した主体金具１２１の内部に、第１板パッキン１３３、第１固定部材１３５、第２板パッキン１３７、ガス検出素子１０３、充填封止層１３９となる滑石リング、第２固定部材１４１、加締めリング１４５を順に挿入する。その後、主体金具１２１の後端部１３２を径方向内側に加締めて、滑石リングを圧縮充填させて充填封止層１３９を形成しつつ、主体金具１２１内にガス検出素子１０３を保持させて下部組立体４０１（図５参照）が作製される。
【００５２】
ついで、第１、第２センサ端子金具２１５、２１６および２本のヒータ端子金具２１７に、それぞれセンサ出力リード線２１１、２１２およびヒータリード線２１３を接続し、セラミックヒータ１０９を第１センサ端子金具２１５内に位置させた状態で、各リード線２１１、２１２、２１３（残り１本については、図示省略）をセパレータ２０７内に挿通する。なお、セパレータ２０７の鍔部２０７Ｃよりも先端側周囲には、付勢部材２１９を予め装着させておく。このように内部にリード線２１１、２１２、２１３を挿通したセパレータ２０７を、金属外筒２０１内に挿入する。ついで、各リード線２１１、２１２、２１３をグロメット２０３に形成したリード線挿通孔に挿通し、このグロメット２０３を金属外筒２０１の後端側開口部２０１Ｋに嵌め込む。これにより、上部組立体４０２（図５参照）が作製される。
【００５３】
そして、図５に示すように、この上部組立体４０２を下部組立体４０１に向けて移動させ、金属外筒２０１の先端部２０１Ｓが主体金具１２１の六角フランジ部１３１に当接するまで上部組立体４０２を移動させる。このとき、ヒータ１５はガス検出素子１０３の内部に挿入されることになる。その後、金属外筒２０１の先端部２０１Ｓとこの内側に位置する主体金具１２１とを、金属外筒２０１を先端側に押圧しながら、加締め治具によって加締めて仮接続する。
【００５４】
ついで、金属外筒２０１のうちで、付勢部材２１９の径方向外側に位置する部位を径方向内側に向かって加締めて、付勢部材２１９を変形させつつ、付勢部材２１９と内側凸部２０１Ｃとの間でセパレータ２０７の鍔部２０７Ｃを挟持させる。これにより、セパレータ２０７が金属外筒２０１内に保持される。その後、金属外筒２０１のうち、グロメット２０３の径方向外側に位置する部位を径方向内側に向かって加締めて、グロメット２０３を金属外筒２０１に気密状態に固定する。そして、既に仮接続した金属外筒２０１の先端部２０１Ｓと主体金具１２１とを全周レーザー溶接することにより、ガスセンサ１０１を完成させる。
【００５５】
（第２実施形態）
本発明の第２実施形態のガスセンサ６０１について説明する。なお、ガスセンサ６０１の要部の断面図を図６に示す。このガスセンサ６０１は、上記第１実施形態のガスセンサ１０１と同様に、排気ガス中の酸素濃度を検出する酸素センサであるが、主体金具１２１の先端部１２３とプロテクタ１５１（詳細には、外側カバー部１７３）との装着部分の構造が異なる。従って、以下では第１実施形態のガスセンサ１０１と異なる部分を中心に説明し、同様な部分について同じ記号や番号を付し、説明は省略あるいは簡略化する。
【００５６】
本実施形態のガスセンサ６０１では、プロテクタ１５１の外側カバー部１７３のうちで、主体金具の先端部１２３との間で重なり部３０１を生ずる後端部１８０は、プロテクタ側小径部６１１およびこのプロテクタ側小径部６１１よりも内径が大きいプロテクタ側大径部６１３を有している。また、主体金具１２１の先端部１２３は、上記第１実施形態のように大径部３０３および小径部３０５を有しておらず、外径が略同一に形成されている。
【００５７】
そして、外側カバー部１７３のプロテクタ側小径部６１１が主体金具１２１の先端部に嵌合（本実施形態では圧入）されていると共に、外側カバー部１７３のプロテクタ側大径部６１３の内周面と主体金具１２１の先端部１２３の外周面との間に環状空間Ｓが形成されており、この環状空間Ｓを貫くようにしてレーザー溶接により形成された溶接部Ｗが外側カバー部１７３の周方向にわたって形成されている。つまり、本実施形態のガスセンサ６０１においては、プロテクタ側小径部６１１と主体金具１２１の先端部１２３とが嵌合する部位が、嵌合部６５１をなしており、プロテクタ側大径部６１３と主体金具１２１の先端部１２３とが環状空間Ｓを介して重なる部位が、空間形成部６５３をなしている。
【００５８】
なお、本実施形態のガスセンサ６０１においては、外側カバー部１７３のプロテクタ側大径部６１３の内径（最小内径）をＢ、このプロテクタ側大径部６１３の径方向内側に位置する主体金具１２１の先端部１２３の外径をＡとしたときに表される環状空間Ｓの大きさＢ−Ａは、０．１０ｍｍ（＝１２．２５ｍｍ−１２．１５ｍｍ）である。また、主体金具１２１の先端部１２３と外側カバー部１７３のプロテクタ側小径部６１１との嵌合（圧入）による位置決めが良好に行われるように、嵌合部６５１の軸線Ｃ方向の長さ、即ちプロテクタ側小径部６１１の先端縁から後端縁までの軸線Ｃ方向の長さが０．８ｍｍとなっている。
【００５９】
このガスセンサ６０１は、以下のように製造される。
まず、上記第１実施形態と同様に、ＳＵＳ４３０の鋼材に対して塑性加工および切削加工を施し、筒状の主体金具１２１を成形する。ついで、この主体金具１２１の表面に所定量の油剤を付着する。主体金具１２１への油剤付着方法については、上記第１実施形態と同様である。
【００６０】
一方、所定寸法に予め成形されたＳＵＳ３１０Ｓ製の有底筒状をなす外側カバー部１７３と内側カバー部１５３を準備する。このとき、主体金具１２１の先端部１２３との間で重なり部３０１を生じることが予定される後端部１８０に、プロテクタ側小径部６１１と、このプロテクタ側小径部６１１よりも後端側に位置しプロテクタ側小径部６１１よりも大きい内径のプロテクタ側大径部６１３とが形成されるように、外側カバー部１７３が成形される。そして、内側カバー部１５３と外側カバー部１７３とを同軸状に固着し、プロテクタ１５１を得る。
【００６１】
そして、主体金具１２３の先端側よりプロテクタ１５１を移動させて、取付ネジ部１２９の先端面に外側カバー部１７３の後端が当接するまでプロテクタ１５１を移動させることで、外側カバー部１７３の後端部１８０を、主体金具１２１の先端部１２３外方に装着する。このとき、主体金具１２１の先端部１２３に対して、外側カバー部１７３のプロテクタ側小径部６１１は圧入されることになるが、主体金具１２１の表面には油剤が付着されているため、円滑に圧入を行うことができる。また、取付ネジ部１２９の先端面に当接するまでプロテクタ１５１を移動するため、先端部１２３と外側カバー部１７３のプロテクタ側大径部６１３との間には、環状隙間Ｓが形成されることになる。
【００６２】
ついで、外側カバー部１７３のプロテクタ側大径部６１３の外周面からレーザー光を照射して、環状隙間Ｓを貫くようにして溶接部Ｗを全周にわたって形成し、プロテクタ１５１と主体金具１２１とをレーザー溶接する。なお、この溶接工程時においては、主体金具１２１の先端部１２３の表面には油剤が付着しているため、レーザー溶接による入熱により油剤成分が気化することになる。しかし、本実施形態においては、環状空間Ｓを介在させて上記レーザー溶接を実行していることから、油剤成分が気化したガスは、外側カバー部１７３の後端側から外部に逃げることになる。そして、主体金具１２１の先端部１２３にプロテクタ１５１を装着した後、上記第１実施形態と同様の工程を経ることにより、ガスセンサ６０１を完成させる。
【００６３】
以上において、本発明を実施形態に即して説明したが、本発明は上記実施形態に限定されるものではなく、その要旨を逸脱しない範囲で、適宜変更して適用できることはいうまでもない。
例えば、上記実施形態では、ガス検出素子１０３として先端１０５Ｓを閉じた形状の素子を用いたが、検知対象などに応じて形状を適宜変更しても良く、板状のガス検出素子を用いることもできる。
【００６４】
また、上記実施形態では、外側カバー部１７３と主体金具１２１の小径部３０５とのレーザー溶接時に、油剤成分のガスを環状空間Ｓからプロテクタ１５１（外側カバー部１７３）の後端から外部に逃がすようにしていたが、主体金具１２１の先端側からも逃がすようにしても良い。具体的には、塑性加工、切削加工を経て上記所定形状の主体金具１２１を成形した後に、先端部１２３の大径部３０３の表面に溝切り加工またはローレット加工を施し、大径部３０３の先端縁から基端縁まで連続形成される複数の凹部を形成する。
【００６５】
そして、大径部３０３の表面に複数の凹部を形成した主体金具１２１の表面に油剤を付着させた後、上述した手順でプロテクタ１５１を圧入して、小径部３０５とプロテクタ１５１（外側カバー部１７３）とを環状空間Ｓを貫くようにして溶接部Ｗをレーザー溶接により形成する。これにより、主体金具１２１の小径部３０５の表面に油剤が付着していても、気化した油剤成分のガスを、環状空間Ｓを通じてプロテクタ１５１（外側カバー部１７３）の後端から外部に逃がすことができると共に、上記複数の凹部内の空間を通じて主体金具１２１の先端側から外部に逃がすことができる。これにより、主体金具１２１の小径部３０５と外側カバー部１７３との溶接工程時において、より確実にガス抜き効果がもたらされ、より安定した溶接部Ｗを形成することができる。
【００６６】
さらに、上記実施形態では、主体金具１２１の先端部１２３に大径部３０３を形成しつつ、この大径部３０３の後端側に小径部３０５を形成したが、大径部３０３の先端側に小径部３０５を形成するようにしても良い。この場合、大径部３０３に外側カバー部１７３を嵌合することで、小径部３０５と外側カバー部１７３との間に環状空間Ｓが形成されることになり、環状空間Ｓを貫く溶接部W形成時に発生する油剤成分のガスは、環状空間Ｓを通じてプロテクタ１５１の先端側から外部に逃がされることになる。
【図面の簡単な説明】
【００６７】
【図１】実施形態にかかるガスセンサの全体断面図である。
【図２】実施形態にかかるガスセンサの要部にあたるプロテクタと主体金具との固定構造を示す断面図である。
【図３】実施形態にかかるガスセンサのうち、二重構造をなすプロテクタを示す説明図である。
【図４】（ａ）プロテクタを主体金具の先端部外方に装着する様子を示す説明図と、（ｂ）主体金具の小径部とプロテクタの外側カバー部とをレーザー溶接する様子を示す説明図である。
【図５】主体金具内にガス検出素子を保持させた状態の下部組立体に対し、上部組立体を組み付ける様子を示す説明図である。
【図６】第２実施形態にかかるガスセンサの要部にあたるプロテクタと主体金具との固定構造を示す断面図である。
【符号の説明】
【００６８】
１０１、６０１・・・ガスセンサ、１０３・・・ガス検出素子、１０６・・・外部電極層、１０８・・・内部電極層、１０９・・・セラミックヒータ、１２１・・・主体金具、１２３・・・（主体金具の）先端部、１２９・・・取付ネジ部、１５１・・・プロテクタ、１５３・・・内側カバー部、１７３・・・外側カバー部、２０１・・・金属外筒、３０１・・・重なり部、３０３・・・大径部、３０５・・・小径部、５０１、６５１・・・嵌合部、５０３、６５３・・・空間形成部、６１１・・・プロテクタ側小径部、６１３・・・プロテクタ側大径部、Ｓ・・・環状空間、Ｗ・・・溶接部
【図１】
2005292119.tif 000003
【図２】
2005292119.tif 000004
【図３】
2005292119.tif 000005
【図４】
2005292119.tif 000006
【図５】
2005292119.tif 000007
【図６】
2005292119.tif 000008